(57)【要約】【課題】ＮＤフィルタの枚数が変更されるとフォーカスがずれるため、再度合焦させる必要がある。しかしながら、製品に内蔵されているＮＤフィルタの枚数の変化はユーザが認識できないことが多い。そのため、ＮＤの枚数が変化したことをユーザに伝える必要がある。【解決手段】ユーザがＮＤフィルタの変更を選択し、ＮＤの変更が終了した時にＮＤ枚数を変更した時にはＮＤの枚数が変化した旨の警告を表示する。【選択図】図５
2016167723.tif 000002
【特許請求の範囲】
【請求項１】
ユーザがＮＤフィルタを選択するＮＤフィルタ選択手段と、光路に挿入するＮＤフィルタの枚数と濃度を変更することが可能なＮＤユニットと、前記ＮＤユニットを制御して前記ＮＤフィルタ選択手段で選択されたＮＤフィルタに変更するＮＤユニット制御手段と、ＮＤフィルタの枚数の変更を認識する枚数変更認識手段を備え、警告を表示することが可能な警告表示部と、警告の表示を制御する警告表示制御部を備え、枚数変更認識手段でＮＤフィルタの枚数の変更を認識した際に、警告を表示部に出力することを特徴とする撮像装置。
【請求項２】
前記枚数変更認識手段は、現在のＮＤフィルタの枚数を判断するＮＤ枚数判断部と、前回のＮＤフィルタの枚数を記憶するＮＤ枚数記憶部を備え、ＮＤ枚数記憶部に記憶されているＮＤフィルタの枚数とＮＤ枚数判断部で判断された枚数が異なる際に、ＮＤフィルタの枚数の変更を認識することを特徴とする請求項１に記載の撮像装置。
【請求項３】
前記警告は、フォーカスのずれを警告する表示を表示部に出力することを特徴とする請求項１又は請求項２に記載の撮像装置。
【請求項４】
時間を計測することができる時間計測手段を備え、ＮＤフィルタの枚数を変更してから一定の時間警告を表示部に表示することを特徴とする請求項１乃至請求項３の何れか一項に記載の撮像装置。
【請求項５】
時間を計測することができる時間計測手段を備え、ＮＤフィルタが停止してから一定の時間が経過してから現在のＮＤの枚数を判定することを特徴とする請求項１乃至請求項３の何れか一項に記載の撮像装置。
【請求項６】
時間を計測することができる時間計測手段を備え、ＮＤフィルタの枚数を変更してから一定の時間警告を表示部に表示し、かつＮＤフィルタが停止してから一定の時間が経過してから現在のＮＤの枚数を判定することを特徴とする請求項１乃至請求項３の何れか一項に記載の撮像装置。
【請求項７】
ＮＤフィルタの移動中には現在のＮＤの枚数の判定を行わないことを特徴とする請求項１乃至請求項６の何れか一項に記載の撮像装置。
【請求項８】
前記ＮＤユニットは複数の濃度のＮＤフィルタと開口部を選択可能なＮＤフィルタ群を複数持つことを特徴とする請求項１乃至請求項７の何れか一項に記載の撮像装置。
【請求項９】
被写体像を撮像して画像データを出力する撮像手段と、フォーカスを合わせることが可能なレンズと、フォーカスを自動で合わせるオートフォーカス制御手段と、オートフォーカスとマニュアルフォーカスを変更するフォーカス制御選択手段とを備え、オートフォーカスの時は警告を表示しないことを特徴とする請求項１乃至請求項８の何れか一項に記載の撮像装置。
【請求項１０】
ＮＤフィルタの枚数の変更を許可するＮＤフィルタ枚数変更許可手段を備え、ＮＤフィルタ枚数変更許可手段でＮＤフィルタの枚数の変更を許可した時だけ、ＮＤフィルタの枚数を変更する段数を選択することができることを特徴とする請求項１乃至請求項９の何れか一項に記載の撮像装置。
【発明の詳細な説明】
【技術分野】
【０００１】
本発明は、ＮＤ操作時の警告表示に関する。
【背景技術】
【０００２】
ビデオカメラには明るさを調整するためのＮＤが内蔵されているものがある。濃度の異なるＮＤを挿入して段階的にＮＤを変更するものと、ＮＤの挿入量を変更して明るさを変更するタイプのものがある。段階的にＮＤを変更するものの中でも多種、多様のものがある。その中でＮＤの枚数が変わるものがある。
【０００３】
特許文献１には、複数のＮＤフィルタを備え、光路上に複数のＮＤフィルタのいずれかを挿入するか、いずれのＮＤフィルタも挿入しないことができる構成が提案されている。このような構成ではいずれかのＮＤフィルタを挿入した状態に加えて、ＮＤフィルタを退避した状態でカメラを使用することができる。
【先行技術文献】
【特許文献】
【０００４】
【特許文献１】特開２０１０−６１００２号公報
【発明の概要】
【発明が解決しようとする課題】
【０００５】
上記従来例ではＮＤフィルタの挿入時と退避時でＮＤフィルタの枚数が変化する。ＮＤフィルタの枚数が変化すると、光路長が変化するためフォーカスをあわせなおす必要がある。上記従来例では、ＮＤフィルタの使用、不使用でＮＤフィルタの枚数が変わるので枚数の変化が比較的わかりやすい。それでもＮＤとフォーカスの設定は別なので、ＮＤの使用、不使用を切り替えた際にフォーカスをあわせなおすことを忘れてしまう可能性がある。
【０００６】
さらに、ＮＤフィルタの構成は多種多様なので、製品上で選択するＮＤの濃度と実際に挿入されるＮＤフィルタの枚数の関係が上記従来例よりも複雑な時は忘れてしまう可能性が高まる。その上、高画素で撮影している映像を解像度の低い液晶パネルやビューファインダーで見ている場合は映像によりフォーカスがずれていることに気が付きにくくなってしまう。
【課題を解決するための手段】
【０００７】
そこで、本発明の撮像装置は、
ユーザがＮＤフィルタを選択するＮＤフィルタ選択手段と、光路に挿入するＮＤフィルタの枚数と濃度を変更することが可能なＮＤユニットと、前記ＮＤユニットを制御して前記ＮＤフィルタ選択手段で選択されたＮＤフィルタに変更するＮＤユニット制御手段と、ＮＤフィルタの枚数の変更を認識する枚数変更認識手段を備え、警告を表示することが可能な警告表示部と、警告の表示を制御する警告表示制御部を備え、枚数変更認識手段でＮＤフィルタの枚数の変更を認識した際に、警告を表示部に出力することを特徴とする。
【発明の効果】
【０００８】
本発明によれば、ユーザがＮＤの濃度を変更した時に挿入するＮＤフィルタの枚数の変化が発生した場合に、警告が表示されるため、ユーザは製品内でＮＤフィルタの枚数の変化したことを認識することができる。
【図面の簡単な説明】
【０００９】
【図１】第１、２の実施形態におけるデジタルビデオカメラの外観図
【図２】第１、２の実施形態におけるデジタルビデオカメラの構成を示すブロック図
【図３】第１、２の実施形態におけるＮＤユニットを構成する２枚の保持部材とＮＤフィルタの配置を表わす正面図
【図４】第１、２の実施形態における製品で選択されたＮＤに対する、ターレット１、２のＮＤフィルタと、挿入されるＮＤフィルタの枚数の関係
【図５】第１実施形態における警告表示処理を表わすフローチャート
【図６】第１、２の実施形態における警告表示中の映像例
【図７】第２実施形態における警告表示処理を表わすフローチャート
【発明を実施するための形態】
【００１０】
以下、本発明を実施するための形態を図面に基づいて説明する。
【００１１】
＜第１の実施形態＞
図１に、本実施形態におけるデジタルビデオカメラの外観図を示す。
【００１２】
図１において、表示部２８は画像や各種情報を表示する表示部である。録画スイッチ６１は撮影指示を行うための操作部である。モード切替スイッチ（反対面に配置されているため不図示）は各種モードを切り替えるための操作部である。操作部７０はユーザーからの各種操作を受け付ける各種ボタン、十字キー等の操作部材より成る操作部である。電源スイッチ（反対面に配置されているため不図示）は、電源オン、電源オフを切り替える。コネクタ１１２は電源の接続ケーブルとデジタルビデオカメラ１００とのコネクタである。記録媒体スロット２０１はメモリーカードやハードディスク等の記録媒体２００（不図示）を格納するためのスロットである。記録媒体スロット２０１に格納された記録媒体２００は、デジタルビデオカメラ１００との通信が可能となる。
【００１３】
図２に、本実施形態におけるデジタルビデオカメラの構成を示すブロック図を示す。
【００１４】
図２において、撮影レンズ１０１はズームレンズ、フォーカスレンズ等を含むレンズ群であり、被写体像を結像させる。絞り１０２は光量調整に使用する絞りである。ＮＤ４０は減光用に使用するＮＤフィルタである。撮像部２２は光学像を電気信号に変換するＣＣＤやＣＭＯＳ素子等で構成される撮像素子である。また、撮像部２２には電子シャッターによる蓄積の制御や、アナログゲイン、読み出し速度の変更などの機能も備える。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１５】
画像処理部２４は、Ａ／Ｄ変換器２３からのデータ、又は、メモリ制御部１５からのデータに対し所定の画素補間、縮小といったリサイズ処理や色変換処理、ガンマ補正、デジタルゲインの付加等の処理を行う。また、撮像した画像データを用いて所定の演算処理が行われ、システム制御部５０は演算結果を受信する。受信した演算結果に基づいてシステム制御部５０は露出制御や測距制御、ホワイトバランス制御等を行う。これにより、ＴＴＬ（スルー・ザ・レンズ）方式のＡＦ（オートフォーカス）処理、ＡＥ（自動露出）処理、ＡＷＢ（オートホワイトバランス）処理等が行われる。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって撮像されＡ／Ｄ変換器２３によりデジタルデータに変換された画像データや、表示部２８に表示するための画像データを格納する。メモリ３２は、所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ビューファインダー等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行うことができる。
【００１８】
不揮発性メモリ５６は、電気的に消去・記録可能なメモリであり、例えばＥＥＰＲＯＭが用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
システム制御部５０は、デジタルビデオカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。録画スイッチ６１、操作部７０はシステム制御部５０に各種の動作指示を入力するための操作手段である。
【００２１】
モード切替スイッチ６０は、システム制御部５０の動作モードを、動画記録モード、再生モード等のいずれかに切り替える。動画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、動画撮影モードに含まれるこれらのモードのいずれかに直接切り替えられる。あるいは、モード切り替えスイッチ６０で動画撮影モードに一旦切り換えた後に、動画撮影モードに含まれるこれらのモードのいずれかに、他の操作部材を用いて切り替えるようにしてもよい。
【００２２】
録画スイッチ６１は撮影待機状態と撮影状態を切り替える。システム制御部５０は、録画スイッチ６１により、撮像部２２からの信号読み出しから記録媒体２００への動画データの書き込みまでの一連の動作を開始する。
【００２３】
操作部７０の各操作部材には、特定の機能が割り当てられている特定機能ボタンとメニューで機能を割り当てられるアサインボタン、表示部２８に表示されるメニューや各種設定を変更することができる十字キー等で構成される。特定機能ボタンとしては、例えば終了ボタン、戻るボタン、メニューボタン、ＳＥＴボタン等がある。例えば、メニューボタンが押されると各種の設定可能なメニュー画面が表示部２８に表示される。ユーザは、表示部２８に表示されたメニュー画面と、上下左右４方向の十字キーやＳＥＴボタンを用いて直感的に各種設定を行うことができる。アサインボタンにはＮＤを変更する機能、画面上の表示を消す機能、映像を拡大する機能等の様々な機能があり、ユーザが良く使う機能を割り当てることができる。アサインボタンの設定はメニューの中の項目で行うことができる。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２５】
電源部３０は、アルカリ電池やリチウム電池等の一次電池やＮｉＣｄ電池やＮｉＭＨ電池、Ｌｉイオン電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２６】
デジタルビデオカメラ１００では、撮像レンズ１０１、絞り１０２の後方にはＮＤユニット４０が配置される。ＮＤユニット４０の更に後方には、撮像素子２２が配置される。
【００２７】
次に本実施形態で使用するＮＤユニット４０の構成例を示す。図３に、ＮＤユニットを構成する２枚の保持部材とＮＤフィルタの配置を表わす正面図を示す。
【００２８】
１枚の円板形状の保持部材（以下ターレット）に３か所の開口部が１２０°毎に設けられており、１か所は開口部３０１、３０２とし、残りの２ヶ所には濃度の異なるＮＤフィルタ３０２、３０３、３１２、３１３が固定されている構成となっている。２枚のターレットは光路に対して直交に配置され、それぞれのターレットの１枚のＮＤフィルタか開口部が光路に挿入される配置となっている。各ターレットの外周にはギア３０４、３１４が形成され、モーター（不図示）の回転を伝えることで、ターレットが回転する。回転軸を挿入する穴３０５、３１５が設けられており、中心を軸に回転する。検知用のリブ３０６、３１６を各ターレットに２か所設けてある。フォトインタラプタ（不図示、以下ＰＩ）をこれらのリブが通過するように配置し、ＰＩの出力をシステム制御部５０が取得し、取得された信号によりＮＤフィルタの位置を判定する。
【００２９】
ＰＩの配置を３０７、３０８、３１７、３１８、ＮＤユニットの後方に配置される撮像素子の配置を３０９、３１９に示す。ＮＤの位置をＮＤフィルタが光路に正しく挿入された時に２つのＰＩのいずれかをリブが遮光するように配置し、１つのＰＩが遮光されている２パターンと２つのＰＩが遮光されている１パターンの計３パターンでＮＤフィルタの位置を判定する。ＰＩの配置は開口部の時に２つのＰＩが遮光される配置としている。
【００３０】
本実施例ではＮＤフィルタ３０２には透過ガラス（０段）、３０３には６段、３１２には２段、３１３には４段の濃度のＮＤフィルタが取り付けられているものとする。ここでＮ段とはＮＤフィルタを通過した光が
2016167723.tif 000003
【００３１】
となるＮＤフィルタの濃度を示し、２段、４段、６段のＮＤフィルタを通過すると光量はそれぞれ１/４、１/１６、１/６４となる。ユーザが製品でＮＤの濃度を選択するとターレット１と２のＮＤフィルタの組み合わせが変化する。
【００３２】
図４に、製品で選択されたＮＤに対する、ターレット１、２のＮＤフィルタと、挿入されるＮＤフィルタの枚数の関係を示す。ユーザが操作部７０を介してＮＤの変更を指示すると、制御部５０は指示に応じて、図４で示した段数のＮＤフィルタが光路に挿入される位置なるように、各ターレットを回転する。本実施例の構成では０段〜６段の時はＮＤフィルタは１枚、８、１０段の時はＮＤフィルタは２枚となる。
【００３３】
次にＮＤの操作について説明する。本実施形態ではアサインボタンを押すことでＮＤを切り替えるものとする。アサインボタンにはＮＤ＋とＮＤ−があり、ＮＤ＋が押下された時には現在の濃度に対して次に濃度の濃いＮＤに変更する。最も濃い濃度の状態でＮＤ＋が押下された場合には最も薄い濃度のＮＤとなる。ＮＤ−が押下された時には現在の濃度より薄いＮＤとなり、最も薄い濃度の際には最も濃い濃度に変更する。例えば現在４段のＮＤフィルタが挿入されている時にＮＤ＋が押下されれば６段のＮＤに変更される。内部的には４段から６段に変更するために図４に示すようにターレットを回転し、ターレット１を開口部から６段のＮＤフィルタにし、ターレット２を４段のＮＤフィルタから開口部に変更する。
【００３４】
本実施形態ではＮＤの変更に制限を行っていないが、フィルタの枚数の変更を禁止する機能を設けてもよい。例えば通常使用では０から６段までの使用を可能にしておき、メニューでＮＤの枚数変更を許可した時だけ８、１０段のＮＤの選択を可能とする。このようにすれば、挿入するＮＤフィルタの枚数変更の発生をユーザーが意識的に操作することができる。
【００３５】
次に本実施形態の動作について説明する。本実施形態ではユーザがＮＤを手動で切り替えた時に、ＮＤの枚数が変化すれば、警告表示を４秒間出力する例を示す。本実施形態における各処理はシステム制御部５０が不揮発性メモリ５６に格納されたプログラムをシステムメモリ５２に展開して実行することにより実現される。
【００３６】
図５に、本実施形態における警告表示処理を表わすフローチャートを示す。
【００３７】
まずフォーカスの制御がオートかマニュアルかを判定する（Ｓ５０１）。オートフォーカス（以下、ＡＦ）であればＮＤフィルタでフォーカスがずれても自動で合焦するので警告は表示しない。そのため警告表示禁止フラグを１にする（Ｓ５０２）。ＡＦでなければ警告表示禁止フラグを０にする（Ｓ５０３）。
【００３８】
ＡＦの時は警告表示禁止フラグを１にしたが、他に警告を表示したくないときは、同様に警告表示禁止フラグを１にしてもよい。たとえばＮＤをリセットしている時には警告をあえて表示する必要がないので禁止フラグを１にして表示を出さないようにしてもよい。他の条件があれば、同様に警告表示禁止フラグを１にする。
【００３９】
次にＮＤが移動中かどうかを判定する（Ｓ５０４）。ＮＤが移動中でなければ現在のＮＤの枚数を判定する（Ｓ５０５）。ＮＤの枚数の判定は各ターレットのＰＩの検出結果により、開口部か否かを判断することで各ターレットのＮＤが入っているかどうかを判定する。そして、両方開口部であれば０枚、片方が開口部であれば１枚、両方ＮＤフィルタであれば２枚と判定する。ＮＤが移動中であれば判定を行わずにＳ５０６の処理に進む。
【００４０】
次に警告表示禁止フラグが０であり、かつバックアップしている前回のＮＤフィルタの枚数と現在のＮＤフィルタの枚数が異なっているかどうかを判定する（Ｓ５０６）。警告表示が禁止されていない状態で前回と現在のＮＤの枚数に変化が有れば、警告を表示する（Ｓ５０７）。同時に現在のＮＤフィルタの枚数を前回のＮＤフィルタの枚数としてバックアップし、カウントを４秒にセットする（Ｓ５０７）。警告表示中にＮＤフィルタの枚数変更を判定したら、再度変更を判定した時点から４秒間警告を表示する。前回と現在のＮＤの枚数に変化が無ければ、ＮＤの濃度が変わっていてもＳ５０７の処理は行わない。
【００４１】
本実施形態では前回のＮＤフィルタの枚数と、今回のＮＤフィルタの枚数を比較して枚数の変更を判断したが、あらかじめＮＤフィルタの枚数が変更するパターンを記憶しておき、変更パターンが生じた時に警告を出してもよい。ただし、その場合は本実施例のＮＤフィルタにおいて、４段から１０段のようにダイレクトに変更されるような仕様の際には、変更パターンが多くなり、制御が複雑になる。
【００４２】
図６に、警告表示中の映像例を示す。６００は表示部２８に表示される映像を示し、６０１は表示する文言を示す。
【００４３】
映像６００の下部に文言６０１をメモリ制御部１５で重畳して表示部２８に出力する。文言はＮＤフィルタの枚数を変更するとフォーカスがずれるので、「ＮＤの枚数が変化したので、フォーカスを確認してください」としている。警告の表示手法に関しては限定するものではない。アイコンを表示してもよいし、フォーカスの調整画面に移行してもよい。
【００４４】
次に警告を表示しているかどうかを判定する（Ｓ５０８）。警告を表示していなければ終了する。警告表示中であればカウントが０秒かどうかを判定する（Ｓ５０９）。カウントが０秒になれば、ＮＤの枚数が変化してから４秒間、警告を表示したのでを警告表示を消す（Ｓ５１０）。カウントがまだ０秒になっていなければ、まだ警告表示を４秒間出していないので、警告表示を出したままカウントを減らす（Ｓ５１１）。
【００４５】
以上のような方法で警告を表示すれば、ＮＤの枚数が変更された時に一定の間、フォーカスがずれた旨の警告が出力されるので、ユーザがフォーカスがずれたことを認識することができ、フォーカスがずれたまま撮影されてしまうことを軽減することができる。
【００４６】
＜第２の実施形態＞
第１の実施例ではユーザがＮＤを連続的に変更していてもＮＤの枚数が変化すると警告を表示してしまう。例えばユーザーがＮＤを６段から０段にする時に６、８、１０、０段とＮＤを連続的に変更した時、ＮＤの枚数は最初と最後は同じ１枚であるにも関わらず、途中２枚を経由するため警告を表示してしまう。本実施例ではユーザーの選択が終了した時点で警告を表示する例を示す。
【００４７】
外観とブロック図、ＮＤの構成や組み合わせ、警告表示例は実施例１と同じとする。説明は省略する。図７に、本実施形態における警告表示処理を表わすフローチャートを示す。
【００４８】
まず実施例１と同様にＡＦかどうかの判定を行い（Ｓ５０１）、ＡＦであればＳ５０２の処理を行う。ＡＦでなければＳ５０３の処理を行った後、ＮＤフィルタが移動中かどうかを判定する（Ｓ５０４）。
【００４９】
次にＮＤフィルタを移動させている最中であれば、枚数の判定を行うまでの時間である、枚数判定カウントをセットしておく（Ｓ７０１）。本実施形態では１秒とする。ＮＤフィルタが停止していれば枚数判定カウントが０秒になっているかどうかを判定する（Ｓ７０２）。枚数判定カウントが０秒であれば、ＮＤフィルタを停止させてから１秒間、ユーザの操作が無いので、ユーザのＮＤフィルタの選択が終了したと判定し、ＮＤフィルタのの枚数を判定する（Ｓ５０５）。枚数判定カウントが０秒で無ければＮＤフィルタを停止させてから１秒経過していないので、ユーザーが連続的にＮＤフィルタを選択する可能性があるので枚数判定カウントを減らし（Ｓ７０３）、ＮＤフィルタの枚数は判定しない。
【００５０】
Ｓ５０６以降の処理は実施例１と同様の方法で警告を表示する。説明は実施例１と同様なので省略する。
【００５１】
以上のような方法で警告を表示すれば、ＮＤを停止させてから一定の間、ユーザのＮＤ変更要求を待つので、ユーザが連続的にＮＤフィルタを変動させている時にも、ＮＤの選択が終了してから警告を表示することができる。また、連続的にＮＤを変更した結果、途中にＮＤの枚数が変更されても最終的にＮＤの枚数が変化しなければ、警告を表示しないことができる。
【００５２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５３】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５４】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５５】
その場合、プログラムの機能を有していれば、オブジェクトコード、インタプリタにより実行されるプログラム、ＯＳに供給するスクリプトデータ等、プログラムの形態を問わない。
【００５６】
プログラムを供給するための記録媒体としては、例えば、ハードディスク、磁気テープ等の磁気記録媒体、光／光磁気記憶媒体、不揮発性の半導体メモリでもよい。
【００５７】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５８】
１３  Ｄ／Ａ変換器、１５  メモリ制御部、１８  記録媒体Ｉ／Ｆ、
２１  レンズＩ／Ｆ、２２  撮像部、２３  Ａ／Ｄ変換器、２４  画像処理部、
２８  表示部、３０  電源部、３２  メモリ、４０  ＮＤフィルタ、
５０  システム制御部、５２  システムメモリ、５３  システムタイマー、
５６  不揮発性メモリ、６０  モード切替スイッチ、６１  録画スイッチ、
７０  操作部、７２  電源スイッチ、８０  電源制御部、
１００  デジタルビデオカメラ、１０１  撮像レンズ、１０２  絞り、
２００  記録媒体、２０１  記録媒体スロット、３００  ターレット１、
３１０  ターレット２、３０１，３１１  開口部、
３０２，３１２  ＮＤフィルタ濃度１、３０３，３１３  ＮＤフィルタ濃度２、
３０４，３１４  ギア、３０５，３１５  回転軸を挿入する穴、
３０６，３１６  検知用のリブ、
３０７，３０８，３１７，３１８  ＰＩの配置、
３０９，３１９  撮像素子の配置、６００  表示映像例、
６０１  重畳文言例
【図１】
2016167723.tif 000004
【図２】
2016167723.tif 000005
【図３】
2016167723.tif 000006
【図４】
2016167723.tif 000007
【図５】
2016167723.tif 000008
【図６】
2016167723.tif 000009
【図７】
2016167723.tif 000010